【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
太陽光パネルと、太陽光パネルから出力される発電電力の電圧あるいは電流を操作値として太陽光パネルの特性に沿って制御することにより、発電電力の最大出力点を探索して電力系統に供給するパワーコンディショナを備えた太陽光発電システムにおいて、
上記パワーコンディショナは、
上記太陽光パネルから出力される発電電力を商用電力に変換するインバータと、
上記太陽光パネルから出力される発電電力の操作値を変動制御するように上記インバータにＰＷＭ指令を出力するＡＶＲ制御部と、
上記変動制御による複数の操作値と、この操作値に基いた上記太陽光パネルからの複数の発電電力のパターンを記憶するデータ記憶部と、
過去探索時の上記発電電力のパターンに基いて、過去探査時の操作値の一部に新たな操作値を付加して次回探索の操作値を算出し上記ＡＶＲ制御部に供給する最大点追従部を備え、
上記最大点追従部で繰返し探索して操作値を更新することにより、繰り返し出力される複数の発電電力の偏差が所定値以下になったとき、これを最大出力値とすることを特徴とする太陽光発電システム。
【請求項２】
請求項１に記載の太陽光発電システムにおいて、
上記最大点追従部は、過去探索時の操作値の一部に、過去探索時の複数電力の最も高い方向に新たな操作値を付加して次回探索の複数の操作値を算出することを特徴とする太陽光発電システム。
【請求項３】
請求項１または２に記載の太陽光発電システムにおいて、
上記最大点追従部は、探索の操作値を３点算出し、過去探索時の操作値の２点に、複数電力の最も高い方向に新たな１点の操作値を付加して次回探索の３点の操作値を算出することを特徴とする太陽光発電システム。
【請求項４】
請求項１または２に記載の太陽光発電システムにおいて、
上記最大点追従部は、探索の操作値を３点算出し、過去探索時の操作値の１点に、探索時の複数電力の最も高い方向に新たな２点の操作値を付加して次回探索の３点の操作値を算出することを特徴とする太陽光発電システム。
【請求項５】
請求項１に記載の太陽光発電システムにおいて、
上記最大点追従部は、過去探索時の操作値の一部に、上記太陽光パネルの特性の最大点と目される方向に新たな操作値を付加して次回探索の複数の操作値を算出することを特徴とする太陽光発電システム。
【請求項６】
請求項１または５に記載の太陽光発電システムにおいて、
上記最大点追従部は、探索の操作値を３点算出し、過去探索時の操作値の２点に、上記太陽光パネルの特性の最大点と目される方向に新たな１点の操作値を付加して次回探索の３点の操作値を算出することを特徴とする太陽光発電システム。
【請求項７】
請求項１または５に記載の太陽光発電システムにおいて、
上記最大点追従部は、探索の操作値を３点算出し、過去探索時の操作値の１点に、上記太陽光パネルの特性の最大点と目される方向に新たな２点の操作値を付加して次回探索の３点の操作値を算出することを特徴とする太陽光発電システム。
【請求項８】
請求項１に記載の太陽光発電システムにおいて、
上記最大点追従部は、更に、複数の発電電力の偏差が規定値以下になったとき収束したと判定し、最大点探索の動作を停止させる収束判定部と、収束判定部からの情報により動作を開始し、複数の発電電力に変化があったとき最大点探索指示を再度出す再探索開始判断部を有することを特徴とする太陽光発電システム。
【請求項９】
太陽光パネルと、太陽光パネルから出力される発電電力の電圧あるいは電流を操作値として太陽光パネルの動作特性に沿って制御することにより、発電電力の最大出力点を探索して電力系統に供給するパワーコンディショナを備えた太陽光発電システムにおいて、
上記パワーコンディショナは、
上記太陽光パネルから出力される発電電力を商用電力に変換するインバータと、
上記太陽光パネルから出力される発電電力の操作値を少なくても３点に変動制御するように上記インバータにＰＷＭ指令を出力するＡＶＲ制御部と、
上記変動制御による３点の操作値と、この操作値に基いた上記太陽光パネルからの３点の発電電力の傾斜パターンとを記憶するデータ記憶部と、
過去探索時の上記発電電力の傾斜パターンに基いて、過去探査時の操作値の一部に新たな操作値を付加して次の探索の操作値を算出し上記ＡＶＲ制御部に供給する最大点追従部を備え、
上記最大点追従部は、過去の発電電力が右上がりパターンのとき、次回の操作値を太陽光パネルの動作特性の右側に設定し、過去の発電電力が左上がりパターンのとき、次回の操作値を太陽光パネルの動作特性の左側に設定し、過去の発電電力が三角パターンのとき、その３点の操作値の内側に操作値を付加して次回の操作値として算出することを特徴とする太陽光発電システム。
【請求項１０】
請求項９に記載の太陽光発電システムにおいて、
上記最大点追従部は、過去の発電電力が右上がりパターンのとき、３点の操作値のうち一部を増加して次回の操作値とし、過去の発電電力が左上がりパターンのとき、３点の操作値のうち一部を減少して次回の操作値とし、過去の発電電力が三角パターンのとき、３点の操作値の内側に操作値を付加して次回の操作値として算出することを特徴とする太陽光発電システム。
【請求項１１】
請求項９に記載の太陽光発電システムにおいて、
上記最大点追従部は、更に、３点の発電電力の偏差が規定値以下になったとき収束したと判定し、最大点探索の動作を停止させる収束判定部と、収束判定部からの情報により動作を開始し、３点の発電電力に変化があったとき最大点探索指示を再度出す再探索開始判断部を有することを特徴とする太陽光発電システム。
【請求項１２】
太陽光パネルと、太陽光パネルから出力される発電電力の電圧あるいは電流を操作値として太陽光パネルの動作特性に沿って制御することにより、発電電力の最大出力点を探索して電力系統に供給するパワーコンディショナを備えた太陽光発電システムにおいて、
上記パワーコンディショナは、
上記太陽光パネルから出力される発電電力を商用電力に変換するインバータと、
上記太陽光パネルから出力される発電電力の操作値を少なくても３点に変動制御するように上記インバータにＰＷＭ指令を出力するＡＶＲ制御部と、
上記変動制御による複数の操作値と、この操作値に基いた上記太陽光パネルからの複数の発電電力の傾斜パターンとを記憶するデータ記憶部と、
過去探索時の上記発電電力の傾斜パターンに基いて、次の探索の操作値を算出し上記ＡＶＲ制御部に供給する最大点追従部を備え、
上記最大点追従部は、過去探索時の発電電力が一方向の傾斜パターンのとき、次回探索の操作値として、過去探索時の操作値の太陽光パネルの動作特性の最大点と目される反対側に設定されるように、過去探索時の操作値の一部に新たな操作値を付加して算出することを特徴とする太陽光発電システム。
【請求項１３】
請求項１２に記載の太陽光発電システムにおいて、
上記最大点追従部は、過去探索時の操作値の一部に、上記太陽光パネルの特性の最大点と目される方向に新たな操作値を付加して次回探索の複数の操作値を算出することを特徴とする太陽光発電システム。
【請求項１４】
請求項１２または１３に記載の太陽光発電システムにおいて、
上記最大点追従部は、探索の操作値を３点算出し、過去探索時の操作値の２点に、上記太陽光パネルの特性の最大点と目される方向に新たな１点の操作値を付加して次回探索の３点の操作値を算出することを特徴とする太陽光発電システム。
【請求項１５】
請求項１２または１３に記載の太陽光発電システムにおいて、
上記最大点追従部は、探索の操作値を３点算出し、過去探索時の操作値の１点に、上記太陽光パネルの特性の最大点と目される方向に新たな２点の操作値を付加して次回探索の３点の操作値を算出することを特徴とする太陽光発電システム。
【手続補正２】
【補正対象書類名】明細書
【補正対象項目名】００１６
【補正方法】変更
【補正の内容】
【００１６】
また、上記に記載の太陽光発電システムにおいて、上記最大点追従部は、探索の操作値を３点算出し、過去探索時の操作値の１点に、上記太陽光パネルの特性の最大点と目される方向に新たな２点の操作値を付加して次回探索の３点の操作値を算出することを特徴とする。
【手続補正３】
【補正対象書類名】明細書
【補正対象項目名】００２３
【補正方法】変更
【補正の内容】
【００２３】
また、上記に記載の太陽光発電システムにおいて、上記最大点追従部は、探索の操作値を３点算出し、過去探索時の操作値の１点に、上記太陽光パネルの特性の最大点と目される方向に新たな２点の操作値を付加して次回探索の３点の操作値を算出することを特徴とする。